(57)【要約】【課題】冊子の生産性を低下させることなく冊子の仕上がり品質を確保すること。【解決手段】複数の用紙Ｓから構成される用紙束Ｓａと表紙Ｋを糊により接着させて冊子Ｂｋを作製する冊子作製装置Ｂと、冊子Ｂｋの端面を断裁する断裁装置Ｄとの間に、冊子Ｂｋにおける糊を冷却する冷却装置Ｃを設置する。【選択図】図１
2011224782.tif 000002
【特許請求の範囲】
【請求項１】
複数の用紙から構成される用紙束と表紙を糊により接着させて冊子を作製する冊子作製装置と、
当該冊子作製装置により作製された冊子を受け取り、冊子の端面を断裁する断裁装置と、
前記冊子作製装置と前記断裁装置との間に設置され、冊子における前記糊を冷却する冷却装置と、
を有することを特徴とする製本システム。
【請求項２】
前記断裁装置は、冊子の三方の端面を断裁する請求項１に記載の製本システム。
【請求項３】
前記冷却装置は、冊子に風を吹き付けて冷却する冷却ファンが設置されている請求項１又は２に記載の製本システム。
【請求項４】
前記冷却装置は、前記冊子作製装置により作製された冊子を受け取る第１受取部と第２受取部が設置されており、
前記第１受取部と前記第２受取部が交互に前記冊子作製装置から冊子を受け取ること請求項１から３の何れか１項に記載の製本システム。
【発明の詳細な説明】
【技術分野】
【０００１】
本発明は、製本システムに関する。
【背景技術】
【０００２】
複数の用紙から構成される用紙束と表紙を糊により接着して冊子を作製し、その後、冊子の接着面以外の端面をカッターにより断裁する製本システムが各種提案されている。当該製本システムの一例として特許文献１に記載の技術がある。
【０００３】
特許文献１に記載された技術は、画像形成装置本体に接続されるシート処理装置において、シート束（用紙束）と表紙シート（表紙）を糊により接着した後、断裁刃による断裁動作を実行する技術である。また、特許文献１では断裁時の仕上がり品質を確保するため、シート束の厚さにより糊の冷却時間を変更し、糊が完全に乾いた後で断裁刃による断裁動作を実行している。
【先行技術文献】
【特許文献】
【０００４】
【特許文献１】特開２００５−１０４０６３号公報
【発明の概要】
【発明が解決しようとする課題】
【０００５】
特許文献１では糊が完全に乾いた後で断裁刃による断裁動作を実行しているが、特許文献１に記載のシート処理装置では糊を冷却するための特別なスペースを設けておらず、断裁動作を行う箇所にシート束を収容して糊を冷却するため、糊が完全に乾くまで断裁動作を実行出来ない。つまり、断裁動作の待ち時間が発生し、特許文献１に記載の技術では端面を断裁した冊子の生産性という観点で十分ではない。
【０００６】
そこで、本発明の目的は、冊子の生産性を低下させることなく冊子の仕上がり品質を確保する製本システムを提供することにある。
【課題を解決するための手段】
【０００７】
上記目的を達成するため、本発明に係る製本システムは、
複数の用紙から構成される用紙束と表紙を糊により接着させて冊子を作製する冊子作製装置と、
当該冊子作製装置により作製された冊子を受け取り、冊子の端面を断裁する断裁装置と、
前記冊子作製装置と前記断裁装置との間に設置され、冊子における前記糊を冷却する冷却装置と、
を有することを特徴とするものである。
【発明の効果】
【０００８】
本発明に係る製本システムによれば、冊子の生産性を低下させることなく冊子の仕上がり品質を確保することが出来る。
【図面の簡単な説明】
【０００９】
【図１】本発明に係る製本システムの全体構成図である。
【図２】断裁装置を上方から見た所定箇所の断面図である。
【図３】冷却装置の拡大中央断面図である。
【図４】支持板の回動動作を示す説明図である。
【図５】冷却装置の拡大中央断面図である。
【図６】冷却装置の拡大中央断面図である。
【図７】冷却装置の拡大中央断面図である。
【図８】冷却装置の拡大中央断面図である。
【図９】冷却装置の拡大中央断面図である。
【発明を実施するための形態】
【００１０】
図１は、本発明に係る製本システムＸの全体構成図である。
【００１１】
図１に示すように、製本システムＸは、画像形成装置Ａと、冊子作製装置Ｂと、冷却装置Ｃと、断裁装置Ｄから構成される。製本システムＸは、画像形成装置Ａにより画像を形成した用紙を用いて冊子Ｂｋを作製する。以下、簡単に製本システムＸを構成する各装置の概要を説明する。
【００１２】
［画像形成装置Ａの概要］
画像形成装置Ａは、回転する感光体１の周囲に、帯電部２、像露光部３、現像部４、転写除電部５、クリーニング部６を配置した画像形成部を有する。画像形成部は、帯電部２によって感光体１の表面に帯電を行った後、像露光部３のレーザビームによって原稿から読み取られた画像データに基づく露光走査を行って潜像を形成する。そして当該潜像を現像部４により現像して感光体１の表面にトナー像を形成する。
【００１３】
用紙収納部７Ａから給紙された用紙Ｓは感光体１における転写位置へ搬送される。転写位置において転写除電部５によりトナー像が用紙Ｓ上に転写された後、用紙Ｓの表面の電荷が消去されて感光体１から分離され、搬送部７Ｂにより搬送される。その後、用紙Ｓ上のトナー像は定着部８により用紙Ｓに加熱定着され、用紙Ｓは排紙ローラ７Ｃにより画像形成装置Ａから排出される。
【００１４】
用紙Ｓの両面に画像を形成する場合は、定着部８により加熱定着された用紙Ｓを搬送路切換部７Ｄにより排紙通路から分岐し、反転搬送部７Ｅにおいてスイッチバックして表裏反転させる。そして用紙Ｓを再び画像形成部へ搬送して、用紙Ｓの裏面に画像を形成する。排紙ローラ７Ｃから排出された用紙Ｓは、冊子作製装置Ｂに送り込まれる。
【００１５】
画像形成装置Ａの上部には操作表示部９が配置されており、製本システムＸで実行されるジョブの内容が操作表示部９を通じてユーザーによって入力される。
【００１６】
［冊子作製装置Ｂの概要］
冊子作製装置Ｂは、搬送部１０、排紙部２０、反転部３０、用紙束収容部４０、塗布部５０、表紙供給部６０、断裁部７０、冊子形成部８０等を有し、用紙束Ｓａに表紙Ｋを糊により接着して冊子Ｂｋを作製するという製本処理を行うことが出来る。
【００１７】
冊子作製装置Ｂにおける動作の概要を説明すると、画像形成装置Ａから搬送された用紙Ｓを用いて冊子Ｂｋを形成しない場合は、用紙Ｓは排紙部２０に排出される。一方、画像形成装置Ａから搬送された用紙Ｓを用いて冊子Ｂｋを形成する場合は、用紙Ｓは搬送部１０により反転部３０に搬送され、反転部３０において一時的に積載される。そして反転部３０において所定枚数の用紙Ｓが積載されると、複数枚の用紙Ｓが用紙束として反転部３０から用紙束収容部４０へ渡される。
【００１８】
反転部３０から用紙束収容部４０へ渡された用紙束Ｓａは、図１に示すように用紙束収容部４０による回動により起立した状態となり、用紙束Ｓａの背部に溶融した糊Ｎが塗布ローラ５１により塗布される。その後、断裁部７０により所定のサイズに断裁された表紙Ｋが冊子形成部８０において用紙束Ｓａの背部に接着され、冊子Ｂｋが形成される。
【００１９】
冊子作製装置Ｂにおいて冊子Ｂｋが作製されると、冊子Ｂｋは冊子作製装置Ｂから冷却装置Ｃへ搬送される。
【００２０】
［冷却装置Ｃの概要］
冷却装置Ｃは、冊子作製装置Ｂと断裁装置Ｄとの間に設置され、冊子Ｂｋ内の糊を冷却して糊を乾燥させる。
【００２１】
冷却装置Ｃの内部には冊子作製装置Ｂから冊子Ｂｋを受け取り、断裁装置Ｄへ冊子Ｂｋを受け渡す２つの第１受取部１１０、第２受取部１２０が設置されている。第１受取部１１０、第２受取部１２０は、冊子受入口Ｃ１の高さと冊子排出口Ｃ２の高さとの間で上下方向に移動可能であり、第１受取部１１０、第２受取部１２０は交互に冊子受入口Ｃ１の高さから冊子排出口Ｃ２の高さまで冊子Ｂｋを移動させる（冷却装置Ｃでは冊子Ｂｋを垂直搬送して水平方向の設置スペースを抑制している）。第１受取部１１０、第２受付部１２０の移動動作は後ほど詳しく説明する。
【００２２】
冷却装置Ｃの上部には冷却ファン１３０が設置されており、第１受取部１１０、第２受取部１２０により冊子排出口Ｃ２の高さまで移動した冊子Ｂｋに対し、風を吹き付けて冊子Ｂｋ内の糊を冷却する。従って、糊を迅速に乾燥させることができ、冷却装置Ｃから断裁装置Ｄに搬送される冊子Ｂｋにおいて糊は完全に乾燥している。
【００２３】
［断裁装置Ｄの概要］
断裁装置Ｄは、冷却装置Ｃから受け取った冊子Ｂｋの端面を断裁し、断裁された複数部の冊子Ｂｋを積載する。
【００２４】
冷却装置Ｃから排出された冊子Ｂｋは第１搬送部２１０により断裁装置Ｄの内部に設置された断裁ステージ２２０の上に搬送される。断裁ステージ２２０により冊子Ｂｋの方向が変更され、冊子Ｂｋの三方の端面が断裁される。ここで図２を用いて断裁装置Ｄにおける断裁動作の概略を説明する。
【００２５】
図２は、断裁装置Ｄを上方から見た所定箇所の断面図である。
【００２６】
図２で示すように、断裁ステージ２２０の周辺にはカッター（不図示）を内蔵する断裁部２３０は設置されている。断裁ステージ２２０は冊子Ｂｋを支持しつつ図２に示すａ方向、ｂ方向に移動可能であるともに、図２に示す時計方向に回転可能である。
【００２７】
２つの搬送ベルトにより構成される第１搬送部２１０により断裁ステージ２２０の上に搬送された冊子Ｂｋは、端面Ｂｋ１、Ｂｋ２、Ｂｋ３において断裁部２３０により断裁される。断裁部２３０により断裁された冊子Ｂｋの切り屑は、切り屑収集部２４０（図１参照）において収集される。
【００２８】
具体的に冊子Ｂｋの断裁動作を説明すると、まず断裁ステージ２２０に支持された冊子Ｂｋは図２の状態でａ方向に移動し、冊子Ｂｋの端面Ｂｋ１が断裁部２３０により断裁される。断裁後、断裁ステージ２２０に支持された冊子Ｂｋはｂ方向に移動し、図２に示す元の位置に戻る。
【００２９】
そして、冊子Ｂｋの端面Ｂｋ２を断裁するため、断裁ステージ２２０が時計方向に９０度回転して、冊子Ｂｋの端面Ｂｋ２が断裁部２３０に対向する状態となる。その後、断裁ステージ２２０により支持された冊子Ｂｋはａ方向に移動し、冊子Ｂｋの端面Ｂｋ２が断裁部２３０により断裁される。断裁後、断裁ステージ２２０に支持された冊子Ｂｋはｂ方向に移動し、元の位置に戻る。
【００３０】
そして、同様に断裁ステージ２２０の９０度回転、冊子Ｂｋのａ方向の移動により冊子Ｂｋの断面Ｂｋ３が断裁部２３０により断裁され、断裁後、断裁ステージ２２０に支持された冊子Ｂｋはｂ方向に移動し、元の位置に戻る。
【００３１】
最後に、もう一度、断裁ステージ２２０が９０度回転し、搬送部（不図示）により冊子Ｂｋが断裁ステージ２２０から第２搬送部２５０に搬送される。
【００３２】
第２搬送部２５０は第１搬送部２１０と同様に２つの搬送ベルトにより構成されており、断裁ステージ２２０から搬送された冊子Ｂｋが第２搬送部２５０の上を所定距離移動した後、２つの各々の搬送ベルトが図２に示す矢印方向に移動する。その結果、第２搬送部２５０の上の冊子Ｂｋが第２搬送部２５０から下方に落下し、図１に示すように積載板２６０に積載される。積載板２６０は上下方向に移動可能であり、積載される最上位の冊子Ｂｋが常に同じ位置に積載される。積載板２６０に積載された冊子Ｂｋは断裁装置Ｄの前扉を開けて取り出し可能である。
【００３３】
［冷却装置Ｃにおける動作］
次に冷却装置Ｃにおいて第１受取部１１０、第２受取部１２０が冊子Ｂｋを移動させる動作、及び冊子Ｂｋを冷却する動作について説明する。
【００３４】
図３は、冷却装置Ｃの拡大中央断面図である。
【００３５】
前述したように第１受取部１１０、第２受取部１２０は、冊子受入口Ｃ１の高さと冊子排出口Ｃ２の高さとの間で上下方向に移動可能であり、第１受取部１１０、第２受取部１２０は交互に冊子受入口Ｃ１の高さから冊子排出口Ｃ２の高さまで冊子Ｂｋを移動させる。
【００３６】
向きは異なるが第１受取部１１０、第２受取部１２０はほぼ同じ構成となっており、ここでは第１受取部１１０を用いて詳細な構成を説明する。
【００３７】
第１受取部１１０は、主に支持板１１０Ａ、支持軸１１０Ｂ、ロック軸１１０Ｃ、ロック板１１０Ｄ、先端コロ１１０Ｅ等から構成されている。支持板１１０Ａの端に設置されたロック軸１１０Ｃがロック板１１０Ｄのロック部ＲＣに引っかかりロックされていると、支持板１１０Ａは図３に示すような状態となっており冊子Ｂｋを支持する。
【００３８】
一方、ロック板１１０Ｄが回動してロック軸１１０Ｃがロック板１１０Ｄのロック部ＲＣから解除されると、支持板１１０Ａは支持軸１１０Ｂを中心に回動し、先端コロ１１０Ｅが設置された支持板１１０Ａの端が下方に向いて支持板１１０Ａが垂れ下がる。ロック軸１１０Ｃがロック板１１０Ｄのロック部ＲＣから解除されて支持板１１０Ａが支持軸１１０Ｂを中心に回動する動作を図４を用いて説明する。
【００３９】
図４は、支持板１１０Ａの回動動作を示す説明図である。
【００４０】
第１受取部１１０は冷却装置Ｃの上下方向に移動可能であるが、第１受取部１１０が図３に示す状態から少し上方に移動すると、図４に示すようにロック板１１０Ｄが冷却装置Ｃに設置された解除ピン１４０Ａに接触する。その結果、ロック板１１０Ｄが軸１１０Ｄ１を中心に回動し、ロック板１１０Ｄのロック部ＲＣがロック軸１１０Ｃから離れ、支持軸１１０Ａ、ロック軸１１０Ｃ、先端コロ１１０Ｅが支持軸１１０Ｂを中心に点線で示す位置から実線で示す位置に回動する。
【００４１】
次に第１受取部１１０、第２受取部１２０が交互に冊子受入口Ｃ１の高さから冊子排出口Ｃ２の高さまで冊子Ｂｋを移動させる動作について図３、図５〜図９を用いて説明する（第１受取部１１０、第２受取部１２０を上下動させる機構は図３等において省略している）。
【００４２】
まず、図３に示す状態において、第１受取部１１０に支持されている冊子Ｂｋが冷却ファン１３０に冷却されて冊子Ｂｋ内の糊が乾燥した後、冊子排出口Ｃ２から断裁装置Ｄへ搬送される。
【００４３】
第１受取部１１０に支持されていた冊子Ｂｋが断裁装置Ｄへ搬送された後、第１受取部１１０が図３に示す状態から少し上方に移動し、図４で説明したようにロック板１１０Ｄのロック部ＲＣがロック軸１１０Ｃから離れて支持板１１０Ａが支持軸１１０Ｂを中心に回動する。その結果、支持板１１０Ａが図５に示す状態となり、支持板Ａが垂れ下がった状態で第１受取部１１０が下降する。一方、第２受取部１２０は冊子受入口Ｃ１の高さから冊子排出口Ｃ２の高さへ上昇する。支持板１１０Ａが垂れ下がった状態で第１受取部１１０が下降するため、下降する第１受取部１１０と上昇する第２受取部１２０が接触することない。
【００４４】
冊子Ｂｋを支持する第２受取部１２０が上昇して冊子排出口Ｃ２の高さに到達すると（図６の状態）、第２受取部１２０の移動が停止し、第２受取部１２０に支持されている冊子Ｂｋが冷却ファン１３０により冷却される。一方、第１受取部１１０は下降し、支持板１１０Ａの先端に設置された先端コロ１１０Ｅがガイド部１５０の案内面１５０Ａに接触すると、先端コロ１１０Ｅが案内面１５０Ａに沿って移動する。そして先端コロ１１０Ｅが案内面１５０Ａに沿って移動した結果、支持板１１０Ａが垂れ下がった状態から水平方向に起きる状態となり、ロック軸１１０Ｃがロック板１１０Ｄのロック部ＲＣに再度ロックされ、第１受取部１１０は図７に示すように冊子Ｂｋを支持する状態になる。
【００４５】
その後、第１受取部１１０が図７に示す位置から図８に示すように冊子受取口Ｃ１の高さまで上昇し、冊子作製装置Ｂから冷却装置Ｃへ搬送される次の冊子Ｂｋを受け取ることになる。
【００４６】
第２受取部１１０に支持されていた冊子Ｂｋが断裁装置Ｄへ搬送された後、第２受取部１１０が図８に示す状態から少し上方に移動すると、第１受取部１１０と同様に、解除ピン１４０Ｂの作用により第２受取部１２０におけるロックが外れ、支持板１２０Ａが支持軸１２０Ｂを中心に回動する。その結果、支持板１２０Ａが図９に示す状態となり、第２受取部１２０が下降する。一方、第１受取部１１０は冊子受入口Ｃ１の高さから冊子排出口Ｃ２の高さへ上昇する。支持板１２０Ａが垂れ下がった形で第２受取部１２０が下降するため、下降する第２受取部１２０と上昇する第１受取部１１０が接触することない。
【００４７】
このように第１受取部１１０と第２受取部１２０が交互に冊子作製装置Ｂから冊子Ｂｋを受け取って冊子受入口Ｃ１の高さから冊子排出口Ｃ２の高さまで冊子Ｂｋを移動させるので、冊子作製装置Ｂにおける冊子Ｂｋを作製する動作を停止させることなく、順次、冊子作製装置Ｂから冷却装置Ｃに向けて冊子Ｂｋを排出させることが出来る。
【００４８】
以上、図３〜図９を用いて冷却装置Ｃの構造を詳しく説明したが、冷却装置Ｃを冊子作製装置Ｂと断裁装置Ｄとの間に設置して冊子Ｂｋ内の糊を乾燥させることにより、糊の乾燥のために断裁装置Ｄにおける断裁動作等を一時的に停止させる必要はなく、冊子Ｂｋの生産性を低下させることはない。また、冷却装置Ｃにおいて冊子Ｂｋ内の糊を乾燥させ、冊子Ｂｋの断裁動作の際は糊が完全に乾いているため、冊子Ｂｋ内の用紙が乱れることなく冊子Ｂｋの断面が綺麗に断裁され、冊子Ｂｋの仕上がり品質を確保することが出来る。
【００４９】
また、製本システムＸにおける断裁装置Ｄでは冊子Ｂｋの三方の端面を断裁するが、冷却装置Ｃにより冊子Ｂｋ内の糊を乾燥させて用紙が糊によりしっかり固着されるため、断裁の回数が複数回でも冊子Ｂｋ内の用紙が乱れることなく冊子Ｂｋの断面が綺麗に断裁出来る。
【００５０】
なお、本発明は当該実施形態に限定されるものではなく、本発明の要旨を逸脱しない範囲における変更や追加があっても本発明に含まれる。
【符号の説明】
【００５１】
Ｘ  製本システム
Ａ  画像形成装置
Ｂ  冊子作製装置
Ｃ  冷却装置
Ｄ  断裁装置
Ｂｋ  冊子
Ｎ  糊
１１０  第１受取部
１１０Ａ  支持板
１１０Ｂ  支持軸
１１０Ｃ  ロック軸
１１０Ｄ  ロック板
１１０Ｅ  先端コロ
１２０  第２受取部
１３０  冷却ファン
１４０Ａ、１４０Ｂ  解除ピン
１５０  ガイド部
２１０  第１搬送部
２２０  断裁ステージ
２３０  断裁部
２４０  切り屑収集部
２５０  第２搬送部
２６０  積載板
【図１】
2011224782.tif 000003
【図２】
2011224782.tif 000004
【図３】
2011224782.tif 000005
【図４】
2011224782.tif 000006
【図５】
2011224782.tif 000007
【図６】
2011224782.tif 000008
【図７】
2011224782.tif 000009
【図８】
2011224782.tif 000010
【図９】
2011224782.tif 000011